(57)【特許請求の範囲】
【請求項１】
設定値に基づいて動作し、フィルター装置、前記フィルター装置の一次側に配置されたポンプ及び前記フィルター装置の二次側に配置されたコントロールバルブを含む装置群と、
前記フィルター装置の膜間差圧が所定圧力となるように前記設定値を計算し、前記設定値で前記装置群を動作させる制御装置と、
を備え、
前記設定値は、前記ポンプの出力及び前記コントロールバルブの開度を含み、
前記制御装置は、
任意の時点における前記設定値である基準設定値と、現在の前記設定値である現在設定値との差に基づいて前記フィルター装置のフィルターの状態を判定する
ことを特徴とする膜監視機能付き処理システム。
【請求項２】
請求項１に記載の膜監視機能付き処理システムにおいて、
前記基準設定値は、前記フィルターが正常であるときの前記設定値であり、
前記制御装置は、前記基準設定値と前記現在設定値との差が所定値以内であるならば前記フィルターは正常であると判定する
ことを特徴とする膜監視機能付き処理システム。
【請求項３】
請求項１又は請求項２に記載の膜監視機能付き処理システムにおいて、
前記制御装置は、過去に実際に使用した前記設定値である実績設定値を前記基準設定値として記録するとともに、その使用をしたときに前記フィルターが異常又は正常の何れかの状態であったかを前記実績設定値に関連付けて記録し、
前記現在設定値と前記実績設定値との差がない又は当該差が所定値以内であるならば、前記フィルターの現在の状態は前記実績設定値に関連づけられた前記フィルターの状態と同じであると判定する
ことを特徴とする膜監視機能付き処理システム。
【請求項４】
請求項３に記載の膜監視機能付き処理システムにおいて、
前記制御装置は、前記実績設定値のうち前記現在設定値に該当するものがないならば、前記現在設定値を前記実績設定値として記録するとともに、前記フィルターが異常又は正常の何れかの状態であったかを前記実績設定値に関連づけて記録する
ことを特徴とする膜監視機能付き処理システム。
【請求項５】
請求項１から請求項４の何れか一項に記載の膜監視機能付き処理システムにおいて、
前記基準設定値は、前記フィルター装置を洗浄する前における前記設定値であり、
前記現在設定値は、前記フィルター装置を洗浄したあとにおける現在の前記設定値であり、
前記制御装置は、前記基準設定値と前記現在設定値との差の変化に基づいて前記フィルターの状態を判定する
ことを特徴とする膜監視機能付き処理システム。
【発明の詳細な説明】
【技術分野】
【０００１】
本発明は、被処理液を濾過するフィルター装置における膜の状態を監視する膜監視機能付き処理システムに関する。
【背景技術】
【０００２】
従来、フィルター装置により被処理液を濾過し、濃縮や精製を行う処理システムが用いられている（特許文献１参照）。このような処理システムでは、フィルター装置の二次側の圧力を制御することにより膜間差圧を維持している。
【０００３】
一般的に、フィルター装置は、濾過対象の被処理液に含まれる粒子で目詰まりすることがある。また、フィルターは粒子によって目が粗くなり、補足率が低下することがある。そして、フィルターが目詰まりすれば膜間差圧は大きくなり、補足率の低下が生じれば膜間差圧は小さくなる。
【０００４】
しかしながら、特許文献１の処理システムでは、膜間差圧を低減すべくフィルターの二次側の圧力を制御しているため、フィルターの目詰まり及び補足率の低下を起因とする圧力変化に気付きにくい。換言すれば、フィルターが目詰まりしたり補足率が低下しても圧力制御により膜間差圧は正常に保たれることから、フィルターが正常であると判断されてしまう。この結果、フィルターの劣化が進行し、圧力を制御しても膜間差圧を所定値に制御できない程度になって、フィルターの目詰まりや補足率の低下に気付くことになる。
【先行技術文献】
【特許文献】
【０００５】
【特許文献１】特開平３−８９９０８号公報
【発明の概要】
【発明が解決しようとする課題】
【０００６】
本発明は、このような事情に鑑み、被処理液を濾過するフィルター装置において膜間差圧を維持し、かつ、膜の状態を監視することができる膜監視機能付き処理システムを提供することを目的とする。
【課題を解決するための手段】
【０００７】
上記目的を達成するための第１の態様は、設定値に基づいて動作し、フィルター装置、前記フィルター装置の一次側に配置されたポンプ及び前記フィルター装置の二次側に配置されたコントロールバルブを含む装置群と、前記フィルター装置の膜間差圧が所定圧力となるように前記設定値を計算し、前記設定値で前記装置群を動作させる制御装置と、を備え、前記設定値は、前記ポンプの出力及び前記コントロールバルブの開度を含み、前記制御装置は、任意の時点における前記設定値である基準設定値と、現在の前記設定値である現在設定値との差に基づいて前記フィルター装置のフィルターの状態を判定することを特徴とする膜監視機能付き処理システムにある。
【０００８】
本発明の第２の態様は、第１の態様に記載の膜監視機能付き処理システムにおいて、前記基準設定値は、前記フィルターが正常であるときの前記設定値であり、前記制御装置は、前記基準設定値と前記現在設定値との差が所定値以内であるならば前記フィルターは正常であると判定することを特徴とする膜監視機能付き処理システムにある。
【０００９】
本発明の第３の態様は、第１又は第２の態様に記載の膜監視機能付き処理システムにおいて、前記制御装置は、過去に実際に使用した前記設定値である実績設定値を前記基準設定値として記録するとともに、その使用をしたときに前記フィルターが異常又は正常の何れかの状態であったかを前記実績設定値に関連付けて記録し、前記現在設定値と前記実績設定値との差がない又は当該差が所定値以内であるならば、前記フィルターの現在の状態は前記実績設定値に関連づけられた前記フィルターの状態と同じであると判定することを特徴とする膜監視機能付き処理システムにある。
【００１０】
本発明の第４の態様は、第３の態様に記載の膜監視機能付き処理システムにおいて、前記制御装置は、前記実績設定値のうち前記現在設定値に該当するものがないならば、前記現在設定値を前記実績設定値として記録するとともに、前記フィルターが異常又は正常の何れかの状態であったかを前記実績設定値に関連づけて記録することを特徴とする膜監視機能付き処理システムにある。
【００１１】
本発明の第５の態様は、第１から第４の何れか一つの態様に記載の膜監視機能付き処理システムにおいて、前記基準設定値は、前記フィルター装置を洗浄する前における前記設定値であり、前記現在設定値は、前記フィルター装置を洗浄したあとにおける現在の前記設定値であり、前記制御装置は、前記基準設定値と前記現在設定値との差の変化に基づいて前記フィルターの状態を判定することを特徴とする膜監視機能付き処理システムにある。
【発明の効果】
【００１２】
本発明によれば、被処理液を濾過するフィルター装置において膜間差圧を維持し、かつ、膜の状態を監視することができる膜監視機能付き処理システムが提供される。
【図面の簡単な説明】
【００１３】
【図１】実施形態１に係る膜監視機能付き処理システムの概略構成図である。
【図２】現在値と設定値を示すグラフ及び制御値を示すグラフである。
【図３】制御システムの動作を示すフローチャートである。
【図４】制御システムの動作を示すフローチャートである。
【図５】制御システムの動作を示すフローチャートである。
【図６】フィルターの状態を判定するための工程を示すフローである。
【図７】設定値の変化を示すグラフである。
【発明を実施するための形態】
【００１４】
〈実施形態１〉
図１は本実施形態に係る膜監視機能付き処理システム（以下、処理システムと称する）の概略構成図である。本実施形態では、被処理液を濾過することにより特定の成分を濃縮し、溶媒を置換する処理システムＩについて説明する。なお、被処理液は、特に限定はないが、飲料、医薬又は塗料などの液体や、微生物など様々な溶質を含む溶液である。
【００１５】
処理システムＩは、クロスフロー方式のフィルター装置５を備えている。フィルター装置５はフィルター６を備えており、フィルター６の一次側には、被処理液が流通する一次側流路１が接続され、フィルター６の二次側には、濾過された被処理液である透過液が流通する二次側流路２が接続されている。
【００１６】
一次側流路１は、フィルター装置５の一次側に接続された循環流路である。すなわち、被処理液は、一次側流路１を循環しながらフィルター装置５により濾過される。なお、本発明は、循環流路に適用されるだけでなく、循環させずに被処理液をフィルター装置５で濾過する場合にも適用できる。
【００１７】
また、一次側流路１には、フィルター装置５の入口側にポンプ３及び第１の圧力センサー１１が設けられ、フィルター装置５の出口側に第２の圧力センサー１２が設けられている。
【００１８】
二次側流路２は、フィルター装置５の二次側に接続された流路であり、フィルター６で濾過された透過液が流通する。また、二次側流路２には、コントロールバルブ４及び第３の圧力センサー１３が設けられている。
【００１９】
ポンプ３は、被処理液を圧送するために用いられる。コントロールバルブ４は、二次側流路２の開度を調節する。ポンプ３は、制御装置１０により動作が制御される。また、コントロールバルブ４は、制御装置１０により与えられる設定値に基づいてフィルター装置５の膜間差圧を調整するための装置である。具体的には、制御装置１０から設定値として開度が与えられ、当該開度となるように動作する。具体的な膜間差圧の調整については後述する。
【００２０】
第１の圧力センサー１１は、フィルター装置５の一次側における入口の被処理液の圧力を測定し、第２の圧力センサー１２は、フィルター装置５の一次側における出口の被処理液の圧力を測定し、第３の圧力センサー１３は、フィルター装置５の二次側における透過液の圧力を測定する装置である。測定された圧力は、制御装置１０により参照される。
【００２１】
また、特に図示しないが、処理システムＩは、処理内容に応じて、フィルター装置５以外にも様々な装置、例えば、原料タンク、調合タンク、熱交換器、充填機などの各種装置や、これらを接続する配管、バルブ等を備えている。
【００２２】
上述したような構成の処理システムＩでは、一次側流路１においてポンプ３により被処理液がフィルター装置５の一次側に圧送される。
【００２３】
フィルター装置５では、フィルター６で濾過された被処理液が透過液として二次側から二次側流路２に送られる。一方、フィルター装置５で濾過されなかった被処理液は、一次側の出口から一次側流路１に排出される。
【００２４】
一次側流路１に排出された被処理液は、再度、フィルター装置５の一次側に供給される。このようにして、被処理液はフィルター装置５により濾過された後、再度、フィルター装置５に供給され、循環しながら濾過される。このような循環濾過は、制御装置１０により制御される。
【００２５】
なお、特に図示しないが、一次側流路１には、フィルター装置５から排出された被処理液を一時的に貯留し、その貯留した被処理液を一次側流路１に供給するタンクを設けてもよい。また、一次側流路１に熱交換器等を設け、被処理液の温度調節を行ってもよい。
【００２６】
制御装置１０は、プログラマブルコントローラ又はシーケンサとも称される装置である。制御装置１０は、ＣＰＵ及びメモリを備え、メモリに記憶されたラダープログラムを読み取り実行する。制御装置１０により実行されるラダープログラムは、処理システムＩにおいて被処理液を濾過させるために必要な各種装置に対する制御を記述したものである。
【００２７】
このような製品を製造するラダープログラムの一部として、以下の機能が実装されている。
・一次側流路１を流通する被処理液の流量を所定量に維持する（流量維持機能）。
・フィルター６の膜間差圧が所定圧力となるようにコントロールバルブ４への設定値を計算し、当該設定値でコントロールバルブ４を動作させる（膜間差圧維持機能）。
・フィルター６の状態を判定する（膜状態監視機能）。
【００２８】
制御装置１０による流量維持機能について説明する。特に図示しないが、一次側流路１には、被処理液の流量を測定する流量計や、コントロールバルブが設けられている。制御装置１０は、流量計により得られた被処理液の流量が予め設定された目標とする流量となるようにポンプ３や図示しないコントロールバルブを制御する。具体的な制御はＰＩＤ制御など公知のものであるので詳細な説明は省略する。このような制御により、一次側流路１に目標とする流量で被処理液を流通させることができる。
【００２９】
制御装置１０による膜間差圧維持機能について説明する。制御装置１０は、膜間差圧が所定圧力になるように制御する。この所定圧力を以後、目標値（記号はＴＭＰ（ＳＶ））と称する。目標値は、処理システムＩの設計時や運用時にオペレータ等によりフィルター装置５のフィルター６の使用条件などに応じて適宜設定される。
【００３０】
また、制御装置１０は、膜間差圧を目標値にするために、第１の圧力センサー１１、第２の圧力センサー１２及び第３の圧力センサー１３から得られる圧力値（以後、現在値と称する）を用いる。
【００３１】
これらの３つの現在値のそれぞれをＰ１１（ＰＶ）、Ｐ１２（ＰＶ）、Ｐ１３（ＰＶ）とすると、膜間差圧の現在値であるＴＭＰ（ＰＶ）は、フィルター６の一次側の圧力の二次側の圧力の差であるから、
ＴＭＰ（ＰＶ）＝（Ｐ１１（ＰＶ）＋Ｐ１２（ＰＶ））／２−Ｐ１３（ＰＶ）
となる。制御装置１０は、膜間差圧の現在値ＴＭＰ（ＰＶ）が目標値ＴＭＰ（ＳＶ）となるように、コントロールバルブ４に与える設定値を計算する。この設定値はコントロールバルブ４の開度であり、範囲は０から１００（％）である。０％ならばコントロールバルブ４は全閉、１００％であればコントロールバルブ４は全開である。
【００３２】
図２〜図５を用いて、コントロールバルブ４に対する設定値について説明する。図２（ａ）は現在値と目標値を示すグラフであり、図２（ｂ）は設定値を示すグラフである。図２（ａ）及び図２（ｂ）の横軸は時間を表している。図２（ａ）の縦軸は膜間差圧の現在値を表し、図２（ｂ）の縦軸は設定値を表している。また、図３〜図５は、処理システムＩの動作を示すフローチャートである。
【００３３】
膜間差圧を目標値にするための制御は、初期立上、緊急時、安定時、不安定時の４つに分類される。まず、初期立上について説明する。
【００３４】
初期立上は、製造プラントを始動させてから所定時間（本実施形態では１５秒とする）までの間の時間（Ｔ０〜Ｔ１）をいう。具体的には、図２（ａ）に示すように、現在値が目標値よりも大きく乖離しているときに行われる。
【００３５】
まず、制御装置１０は、処理システムＩにおける被処理液の処理プロセスの終了時に、そのときの設定値を前回終了時設定値としてメモリに記憶しておく。具体的には、後述する安定時における設定値を前回終了時設定値として記憶する。なお、初めて処理システムＩを始動させるときは、まだ一度も製造プロセスを実行し終えていないことから、予め適当な値を前回終了時設定値として設定しておく。
【００３６】
次回に製造プロセスを始動する際には（Ｔ０）、制御装置１０は、前回終了時設定値を呼出し（図３ステップＳ１）、前回終了時設定値を所定数（本実施形態では５）で分割した量（以下、増加量）を計算する（図３ステップＳ２）。次に、制御装置１０は、処理システムＩを始動してから所定時間（Ｔ１）までの間に、前記前回終了時設定値になるまで設定値に増加量を加算する（図３ステップＳ３）。この例では、増加量を１５秒間に５回にわけて加算するので、３秒に一回の割合で増加量を設定値に加算することになる。もちろん、増加量の加算のタイミングは３秒に一回のように均等なタイミングである必要はない。
【００３７】
図２（ｂ）に示すように、初期立上では、１５秒の間に段階的に設定値が増加している。この増加量は、前回終了時設定値を５で分割した値となっており、初期立上の終了時では、設定値は前回終了時設定値となっている。
【００３８】
図２（ａ）に示すように、初期立上では、設定値を段階的に増加させていくため、すなわち、コントロールバルブ４の開度が段階的に開いているため、現在値（膜間差圧ＴＭＰ（ＰＶ））が目標値付近まで早く立ち上げることができる。また、初期立上では、開度を段階的に増加させていくが、その到達点は前回終了時設定値である。前回終了時設定値は、前回の製造プロセスにおいて、現在値が目標値にほぼ等しい時におけるものである。したがって、初期立上が完了したときには、若干のオーバーシュートはあるが、すぐに現在値を目標値に安定させることができる。
【００３９】
また、ある特定の目標値を実現するために必要な設定値は一定とは限らず、例えば、処理システムＩの周囲の環境の変化（季節変動など）によって変動する。前回終了時設定値は、製造プロセスのたびに更新されるものであり、初期立上ではその前回終了時設定値となるように段階的に設定値を増加させていく。これにより、初期立上の完了時には、処理システムＩの周囲の環境の変化に適応して最適な設定値とすることができる。
【００４０】
次に、緊急時について説明する。緊急時は、現在値が上限値（目標値±Δより大きい値）を超えたときのことをいう（Ｔ６〜Ｔ７）。制御装置１０は、処理システムＩを始動させてから所定時間を経過した後に（Ｔ１以後に）、現在値が所定の上限値よりも大きい場合は（図２のＴ６のとき、図３ステップＳ４；Ｙｅｓ）、緊急時と判定し、設定値を減少させる（図３ステップＳ５）。
【００４１】
現在値が上限値を超えたとき（図２（ｂ）Ｔ６）の設定値を９０％（図２（ａ））にする。これにより、コントロールバルブ４の開度が小さくなるので、図２（ａ）に示すように、現在値は減少し、所定時間経過後（Ｔ７）、上限値を下回るようになる。このように、何らかの原因で上限値を超えるような緊急事態が生じても、それを検知して流量を減少させ、緊急事態を解消することができる。
【００４２】
なお、Ｔ６からＴ７の間、コントロールバルブ４の設定値を減少させる方法としては、一度、設定値を減少させるだけでもよいし、一定間隔を空けて複数回に亘って設定値を減少させてもよい。また、現在値が上限値を超えたとき、直ちに、コントロールバルブ４の設定値を減少させてもよいし、一定時間経過後に減少させるようにしてもよい。
【００４３】
次に、安定時について説明する。安定時は、現在値が目標値±Δ（＋Δを増加幅、−Δを減少幅と称する）以内であるときをいう（Ｔ３〜Ｔ４、Ｔ５〜Ｔ６）。制御装置１０は、処理システムＩを始動させてから所定時間を経過した後に、現在値が目標値よりも大きい又は小さい場合は、設定値に第１の所定量を減少又は増加させるラダープログラムを実行する。詳細には次のように処理が行われる。
【００４４】
まず、制御装置１０は、緊急時でないとき（図３ステップＳ４；Ｎｏ）、現在値が目標値より大きいかを判定する（図３ステップＳ６）。現在値が目標値より大きい場合（図３ステップＳ６；Ｙｅｓ）、設定値を第１の所定量（例えば、そのときの設定値の０．３％）だけ減少させる（図４ステップＳ７）。
【００４５】
図２（ａ）に示すように、安定時において、現在値が目標値を超えたとき（Ｔ１０）、図２（ｂ）に示すように、設定値から第１の所定量を減じる。これにより、コントロールバルブ４の開度が若干小さくなるので、図２（ａ）に示すように、設定値を減じてから一定時間経過後（Ｔ１１）に、現在値は減少し、目標値と等しいまたは近くなっている。
【００４６】
また、制御装置１０は、現在値が目標値以下の場合（図３ステップＳ６；Ｎｏ）、設定値を第１の所定量（例えば、そのときの設定値の０．２％）だけ増加させる（図５ステップＳ８）。なお、加算時（図４ステップＳ７）の第１の所定量と減算時（図５ステップＳ８）の第１の所定量は異なっていてもよい。
【００４７】
図２（ａ）に示すように、安定時において、現在値が目標値以下であるとき（例えばＴ１２）、図２（ｂ）に示すように、設定値から第１の所定量を増加する。これにより、コントロールバルブ４の開度が若干大きくなるので、図２（ａ）に示すように、設定値を増加してから一定時間経過後（例えばＴ１３）に、現在値は増大し、目標値と等しいまたは近くなっている。
【００４８】
このように、コントロールバルブ４を開閉することで、現在値が目標値とほぼ等しい安定な状態を維持することができる。
【００４９】
なお、安定時において、コントロールバルブ４の設定値を増加又は減少させる方法としては、一度、設定値を増加又は減少させるだけでもよいし、一定間隔を空けて複数回に亘って設定値を増加又は減少させてもよい。また、現在値が目標値を超えたとき、直ちに、コントロールバルブ４の設定値を増加又は減少させてもよいし、一定時間経過後に増加又は減少させるようにしてもよい。
【００５０】
次に、不安定時について説明する。不安定時は、現在値が目標値±Δより大きい又は小さいときをいう（Ｔ２〜Ｔ３、Ｔ４〜Ｔ５）。制御装置１０は、処理システムＩを始動させてから所定時間を経過した後に、現在値が目標値±Δよりも大きい又は小さい場合は、設定値に第２の所定量を減少又は増加させるラダープログラムを実行する。詳細には次のように処理が行われる。なお、第２の所定量は第１の所定量よりも大きい。
【００５１】
まず、制御装置１０は、現在値が目標値＋Δより大きいかを判定する（図４ステップＳ９）。現在値が目標値＋Δ以下の場合（図４ステップＳ９；Ｎｏ）、図３ステップＳ４に処理が戻る。一方、現在値が目標値＋Δより大きい場合（図４ステップＳ９；Ｙｅｓ）、設定値を第２の所定量（例えば、そのときの設定値の３．０％）だけ減少させる（図４ステップＳ１０）。そして、制御装置１０は、現在値が目標値＋Δ以上であるならば（図４ステップＳ１１；Ｎｏ）、まだ不安定であるので、一定時間待機した後、ステップＳ１０の処理を実行する。また、制御装置１０は、現在値が目標値＋Δより小さいならば（図４ステップＳ１１；Ｙｅｓ）、安定状態になったので、ステップＳ４からの処理に戻る。
【００５２】
図２（ａ）に示すように、不安定時において、現在値が目標値＋Δを超えたとき（Ｔ４）、図２（ｂ）に示すように、設定値から第２の所定量を減じる。これにより、コントロールバルブ４の開度が小さくなるので、図２（ａ）に示すように、設定値を減じてから一定時間経過後（Ｔ５）に、現在値は大きく減少し、安定状態に向かう。
【００５３】
また、制御装置１０は、現在値が目標値−Δより小さいかを判定する（図５ステップＳ１２）。現在値が目標値−Δ以上の場合（図５ステップＳ１２；Ｎｏ）、図３ステップＳ４に処理が戻る。一方、現在値が目標値−Δより小さい場合（図５ステップＳ１２；Ｙｅｓ）、設定値を第２の所定量（例えば、そのときの設定値の２．０％）だけ増加させる（図５ステップＳ１３）。そして、制御装置１０は、現在値が目標値−Δ以下であるならば（図５ステップＳ１４；Ｎｏ）、まだ不安定であるので、一定時間待機した後、ステップＳ１３の処理を実行する。また、制御装置１０は、現在値が目標値−Δより大きいならば（図５ステップＳ１４；Ｙｅｓ）、安定状態になったので、ステップＳ４からの処理に戻る。なお、加算時（図５ステップＳ１３）の第２の所定量と減算時（図４ステップＳ１０）の第２の所定量は異なっていてもよい。
【００５４】
図２（ａ）に示すように、不安定時において、現在値が目標値−Δより小さいとき（Ｔ２）、図２（ｂ）に示すように、設定値から第２の所定量を増加する。これにより、コントロールバルブ４の開度が大きくなるので、図２（ａ）に示すように、設定値を増加してから一定時間経過後（Ｔ３）に、現在値は大きく増大し、安定状態に向かう。
【００５５】
このように、コントロールバルブ４を開閉することで、現在値が不安定な状態となっても、安定状態にすることができる。
【００５６】
なお、不安定時において、コントロールバルブ４の設定値を増加又は減少させる方法としては、一度、設定値を増加又は減少させるだけでもよいし、一定間隔を空けて複数回に亘って設定値を増加又は減少させてもよい。また、現在値が目標値±Δを超えたとき、直ちに、コントロールバルブ４の設定値を増加又は減少させてもよいし、一定時間経過後に増加又は減少させるようにしてもよい。
【００５７】
本実施形態に係る処理システムＩでは、安定時、不安定時、緊急時に示したように、処理システムＩを始動させてから所定時間を経過した後に、膜間差圧の現在値ＴＭＰ（ＰＶ）が目標値ＴＭＰ（ＳＶ）となるように設定値（コントロールバルブ４の開度）を所定量増減させるラダープログラムを実行する。これにより、ラダープログラムのみで、ＰＩＤ制御と同等の制御を実現して、膜間差圧を目標値に維持することができる。
【００５８】
次に、制御装置１０による膜状態監視機能について説明する。上述したように、処理システムＩでは、被処理液の流量及び膜間差圧が所望の設定値となるように循環濾過を実行する。そして、循環濾過を実行しながらフィルター６の状態を監視する。フィルター６の状態を監視するとは、フィルター６が目詰まりしたり、補足率が低下したなどの異常が生じているのか、又は正常であるのかを判定し、その結果を警告することをいう。
【００５９】
本実施形態の処理システムＩは、フィルター６の状態を監視するために、フィルター装置５やコントロールバルブ４を含む装置群に対する設定値を用いる。
【００６０】
装置群に対する設定値としては、上述したコントロールバルブ４の設定値（開度）の他に、本実施形態ではポンプ３に対する設定値を含む。ポンプ３に対する設定値は、例えば、ポンプ３の出力である。
【００６１】
図６は、フィルター６の状態を監視するための工程を示すフローである。まず、制御装置１０に基準設定値を設定する（ステップＳ１）。
【００６２】
基準設定値とは、フィルター６が正常であるときの設定値である。本実施形態では、フィルター６が正常であるときのポンプ３の設定値（出力）及びコントロールバルブ４の設定値（開度）が基準設定値となる。
【００６３】
フィルター６が正常であるときの基準設定値としては、初期の基準設定値、水運転時の基準設定値、原液運転時の基準設定値を挙げることができる。表１にこれらの例を示す。表１の各数値の単位は膜間差圧についてはＭＰａであり、流量についてはＬ／ｈである。ポンプ３の設定値及びコントロールバルブ４の設定値の単位は％である。
【００６４】
【表１】
0006807480.tif 000002
【００６５】
処理システムＩの設計時や運用開始時などに、制御装置１０に初期設定として与えたポンプ３及びコントロールバルブ４の設定値を初期の基準設定値と称する。表１には、ポンプ３及びコントロールバルブ４の初期の基準設定値の具体例として何れも６０％が例示されている。
【００６６】
水運転とは、処理システムＩを構築後に被処理液として水を一次側流路１に流通させた運転である。この水運転は、当然、フィルター装置５のフィルター６は目詰まりもなく、補足率の低下もおきていない正常な状態である。
【００６７】
水運転を行って定常状態になったとき、制御装置１０にそのときの設定値を記憶させておく。この値を水運転時の基準設定値と称する。表１には、ポンプ３及びコントロールバルブ４の水運転時の基準設定値の具体例として６２％、５８％が例示されている。
【００６８】
原液運転とは、処理システムＩを構築後に被処理液として原液を一次側流路１に流通させた運転である。この原液運転では、フィルター６に目詰まりや補足率の低下が生じないような短い時間だけ実施する。つまり、フィルター装置５のフィルター６は目詰まりもなく、補足率の低下もおきていない正常な状態である。
【００６９】
原液運転を行って定常状態になったとき、制御装置１０にそのときの設定値を記憶させておく。この値を原液運転時の基準設定値と称する。表１には、ポンプ３及びコントロールバルブ４の原液運転時の基準設定値の具体例として６５％、６１％が例示されている。
【００７０】
なお、処理システムＩでは、膜間差圧は所定圧力（ＴＭＰ（ＳＶ））に、一次側流路１の流量も所定の流量になるようにポンプ３、コントロールバルブ４を制御する。したがって、表１に示すように膜間差圧及び被処理液の流量はそれらの所定圧力所望の膜間差圧に維持されている。
【００７１】
次に、制御装置１０は、実際に被処理液の循環濾過を行いながら、現在の設定値を取得する（ステップＳ２）。現在の設定値を現在設定値と称する。表２に現在設定値を例示する。各数値の意味は表１と同様である。
【００７２】
【表２】
0006807480.tif 000003
【００７３】
次に、制御装置１０は、現在設定値と基準設定値との差が所定値以内であるか比較を行う（ステップＳ３）。現在設定値と基準設定値との差は、現在設定値に含まれる各種の設定値と、基準設定値に含まれる各種の設定値とのそれぞれの差の絶対値をとり、当該絶対値の合計値とする。例えば、初期の基準設定値と表２の現在設定値との差は、｜６０−５８｜＋｜６０−６１｜＝３となる。また、所定値は、現在設定値と基準設定値とが同等と見なせる範囲で適宜定めればよい。
【００７４】
現在設定値と基準設定値との差が所定値以内であれば（ステップＳ３；Ｙｅｓ）、制御装置１０はフィルター６は正常であると判定する（ステップＳ４）。つまり、現在設定値は、フィルター６が正常であるときの基準運転時と同じであるから、フィルター６は正常であると判定するのである。
【００７５】
なお、比較に用いる基準設定値は、上述した初期の基準設定値、水運転時の基準設定値、原液運転時の基準設定値を適宜選択して比較すれば良い。また、現在設定値がそれらの基準設定値の何れかに該当するならば、フィルター６は正常であると判断してもよい。
【００７６】
現在設定値と基準設定値との差が所定値以内でないならば（ステップＳ３；Ｎｏ）、制御装置１０は、現在設定値と、実績設定値との比較を行う（ステップＳ５）。
【００７７】
実績設定値とは、過去に実際に使用した設定値であり、その使用をしたときにフィルター６が異常又は正常の何れの状態であったかが関連付けられている。実績設定値は、例えば、所定時間ごとに現在設定値を記録することにより作成する。他にも、循環濾過が終了するときの現在設定値を実績設定値として記録することにより作成する。図２で言えば、安定時、不安定時における設定値をフィルター６が正常であるときの実績設定値として記憶する。また、図２における緊急時の原因がフィルター６にあることが判明したのであれば、その緊急時における設定値をフィルター６が異常であるときの実績設定値として記憶する。
【００７８】
表３に実績設定値を例示する。表３の○はフィルター６が正常であることを意味し、×はフィルター６が異常であることを示す。
【００７９】
【表３】
0006807480.tif 000004
【００８０】
制御装置１０は、実績設定値に対して、フィルター６に異常が生じたときのものであるか否かの記録を行う。フィルター６の異常とは、フィルター６に目詰まりが生じた状態や、補足率の低下が生じた状態をいう。
【００８１】
フィルター６に異常が生じたか否かの判定は、ＣＩＰ、ＳＩＰの前後で現在設定値が変化するか否かにより行う。仮に、ＣＩＰ、ＳＩＰの前にフィルター６が目詰まりして性能が低下した場合は、それに応じて現在設定値は、基準設定値と異なる可能性が高い。しかしながら、ＣＩＰ、ＳＩＰを実施して目詰まりが解消し、フィルター６の性能が回復すれば、ＣＩＰ、ＳＩＰ後の現在設定値は基準設定値とほぼ同じになるはずである。
【００８２】
例えば、実績設定値１については次のようにフィルター６の異常を判定する。制御装置１０は、実績設定値１を記録し、循環濾過を終えた後に、処理システムＩに対してＣＩＰ、ＳＩＰを行う。
【００８３】
そのＣＩＰ、ＳＩＰを終え、次の循環濾過を行ったときの現在設定値と、表１に示した基準設定値、例えば、原液運転の基準設定値とを比較する。現在設定値が原液運転の基準設定値と一致するのであればフィルター６は正常であり、一致しなければ異常であると判定する。なお、運転傾向と基準設定値が一致するとは、厳密に数値が一致する場合に限らず、適当な幅を持たせてもよい。
【００８４】
そして、制御装置１０は、実績設定値１に対して比較の結果であるフィルター６の正常又は異常を記録する。実績設定値２、実績設定値３についても同様にフィルター６の正常又は異常を記録する。表３に示す例では、実績設定値１及び実績設定値２はフィルター６が正常であるときのものであり、実績設定値３はフィルター６が異常であるときのものである。
【００８５】
なお、実績設定値に対して、フィルター６の正常又は異常を記録する方法としては上述したようなものに限らない。例えば、制御装置１０は、各実績設定値に対してフィルター６が正常であるか異常であるかを管理者から入力装置を介して得るようにしてもよい。
【００８６】
上述したように、処理システムＩでは、膜間差圧が所定圧力（ＴＭＰ（ＳＶ））に、一次側流路１の流量が所望の流量になるようにポンプ３、コントロールバルブ４を制御する。このため、表３の実績設定値３に示すように、フィルター６が異常であるにも関わらず、膜間差圧は所望の膜間差圧に維持される。したがって、単に、膜間差圧及び流量が所望の設定値に維持されていることをもって、フィルター６に異常が生じていることを判定することができない。
【００８７】
そこで、制御装置１０は、表３の示したようなフィルター６の正常又は異常が記録された実績設定値を相当数蓄積する。そして、その蓄積された実績設定値と、現在設定値とを比較することで、フィルター６に異常が生じているかを判定する。
【００８８】
制御装置１０は、比較の結果、現在設定値と実績設定値とが一致する場合（ステップＳ５；Ｙｅｓ）、その実績設定値に基づいてフィルター６の状態を判定する（ステップＳ６）。具体的には、その実績設定値に関連付けられたフィルター６の状態と同じであると判定する。すなわち、実績設定値にフィルター６が異常であると関連付けて記録されているならば、現在設定値で動作している処理システムＩにおいてもフィルター６が異常と判定する。同様に、実績設定値にフィルター６が正常であると関連付けて記録されているならば、現在設定値で動作している処理システムＩにおいてもフィルター６が正常と判定する。
【００８９】
表４に現在設定値を示す。各数値の意味は表１〜表３と同様である。
【００９０】
【表４】
0006807480.tif 000005
【００９１】
表４に示した現在設定値の例では、実績設定値２と一致することから、実績設定値２と同様にフィルター６が正常であると判定する。
【００９２】
また、制御装置１０は、現在設定値が実績設定値と一致しない場合（ステップＳ５；Ｎｏ）、現在設定値と近い実績設定値を検索する（ステップＳ７）。具体的には、実績設定値に含まれる各種設定値と、現在設定値に含まれる各種設定値との差の絶対値を合計し、その合計値が最も小さく、かつその合計値が所定値以下であるものを近い実績設定値とする。当該所定値は、現在設定値が実績設定値に近いと見なせる値を適宜設定すればよい。表５に表４とは別の現在設定値の例を示す。
【００９３】
【表５】
0006807480.tif 000006
【００９４】
表５に示す現在設定値は、表３に示す実績設定値３に最も近いと判定される（ステップＳ７；Ｙｅｓ）。制御装置１０は、実績設定値に基づくフィルター６の状態を判定する（ステップＳ８）。具体的には、実績設定値３にはフィルター６が異常であると関連付けられているから、制御装置１０は、現在設定値で動作している現在の処理システムＩでは、フィルター６が異常である、又は正常ではあるが異常に近づいていると判定する。仮に表５に示す現在設定値が実績設定値１に近い場合は、フィルター６が正常であると判定する。
【００９５】
現在設定値に近い実績設定値がない場合（ステップＳ７；Ｎｏ）、その現在設定値を新たな実績設定値として追加する（ステップＳ９）。このとき、上述したようにフィルター６が異常又は正常であるかを関連付けて記録する。つまり、新たな実績設定値を追加することになり、フィルター６が異常又は正常であるかを判定するための基準を拡充することになる。
【００９６】
また、制御装置１０は、ステップＳ４、ステップＳ６、ステップＳ８における判定結果を警告してもよい。警告は、例えば、制御装置１０に接続されたディスプレイなどの表示手段に文字、図形、記号などで表示することにより行ってもよい。他にも、警告は、スピーカーなどの音声出力手段に音として出力したり、警告灯などの光学的装置を点灯・点滅させることにより行ってもよい。さらには、警告は、ネットワークを介して制御装置１０に接続された情報処理端末に送信することにより行ってもよい。
【００９７】
このような警告を行うことにより、フィルター６の状態を管理者に知らしめることができる。特に、処理システムＩとしては正常に動作している場合であっても、フィルター６の異常を知らしめることができるので、フィルター６の交換時期を早期に判断することができる。
【００９８】
以上に説明した処理システムＩでは、膜間差圧が所定圧力（ＴＭＰ（ＳＶ））に、一次側流路１における被処理液の流量が所望の流量となるように循環濾過を行いながら、フィルター６の状態を判定する。そして、処理システムＩでは、フィルター６の状態は、現在設定値と基準設定値との比較に基づいて行う（図６のステップＳ３、Ｓ４）。
【００９９】
上述した循環濾過では、フィルター６が劣化して目詰まりや補足率の低下がおきたとしても、膜間差圧が所定圧力に維持される。つまり、処理システムＩとしては正常に動作しているため、フィルター６の異常に気付きにくい。
【０１００】
しかしながら、処理システムＩでは、膜間差圧が所定圧力に維持されていることをもってフィルター６の状態を判定するのではなく、フィルター６が正常であるときの基準設定値と、現在設定値とを比較することによりフィルター６の状態を判定する。したがって、処理システムＩが正常に動作しており、かつ、フィルター６も正常であるという判定をすることができる。
【０１０１】
また、処理システムＩは、現在設定値を基準設定値のみならず、実績設定値とも比較する（ステップＳ５）。実績設定値との差が一致すれば（表３の実績設定値２と表４の現在設定値に関する説明を参照）、又はその差が所定値以内であれば（表３の実績設定値３と表５の現在設定値の説明を参照）、フィルター６の現在の状態はその実績設定値に関連づけられたフィルターの状態と同じであると判定する。
【０１０２】
これにより、現在設定値が基準設定値に一致しない未知のものであっても、過去の実績設定値を有効利用してフィルター６の状態を判定することができる。
【０１０３】
さらに、処理システムＩは、過去の実績設定値のうち現在設定値に該当するものがないならば、その現在設定値を新たな実績設定値として記録する。そして、フィルター６が異常又は正常の何れかの状態であったかをその実績設定値に関連づけて記録する。
【０１０４】
これにより、より多くのパターンの実績設定値が蓄積されるので、現在設定値と実績設定値との比較に基づくフィルター６の状態判定の精度をより向上させることができる。
【０１０５】
また、処理システムＩによれば、フィルター６が正常であると関連付けられた実績設定値が蓄積されていくことになる。従来であれば、そのような実績設定値はベテラン作業員が自らの経験やノウハウを元に各種装置の状態をみて調整して得られたものであった。
【０１０６】
しかしながら、処理システムＩによれば、そのような属人的な経験に頼らずに、フィルター６が正常であることを担保し、かつ膜間差圧を所定圧力に維持することができる実績設定値を自動的に獲得することができる。このようにして得られた実績設定値は、同様の構成の処理システムＩを別途に構築するときに、初期設定として役立てることができ、構築後の調整に掛ける時間を低減することができる。
【０１０７】
〈実施形態２〉
実施形態１では、現在設定値を、初期の基準設定値、水運転時の基準設定値、原液運転時の基準設定値と比較することによりフィルター６の状態を監視していたが、このような態様に限定されない。
【０１０８】
本実施形態の処理システムは、実施形態１と同様の構成に加えて、一次側流路１、フィルター装置５及び二次側流路２を洗浄するための装置を備えている。この洗浄するための装置は、ＣＩＰ、ＳＩＰを行うための公知の装置であるので詳細な説明は省略する。
【０１０９】
本実施形態の処理システムでは、フィルター装置５を洗浄する前におけるコントロールバルブ４の設定値（開度）を基準設定値とする。また、フィルター装置５を洗浄したあとにおける現在の設定値を現在設定値とする。
【０１１０】
処理システムは、制御装置１０がフィルター装置５を洗浄する前後における基準設定値と現在設定値との差の変化に基づいてフィルター６の状態を判定する。
【０１１１】
図７を用いて、具体的なフィルター６の状態判定について説明する。図７は、本実施形態に係る設定値の変化を示すグラフである。
【０１１２】
時刻Ｔｃ以前においては、被処理液の濾過が行われており、コントロールバルブ４は基準設定値Ａで動作していた。時刻ＴｃにおいてＣＩＰ、ＳＩＰが行われた結果、フィルター６は目詰まりが解消するため性能が回復する。このため、コントロールバルブ４の現在設定値Ｂは、基準設定値Ａとは異なる可能性が高い。
【０１１３】
このように被処理液の濾過プロセスとフィルター装置５等の洗浄プロセスとを繰り返して相当な時間が経過すると、フィルター６は寿命が近くなり、ＣＩＰ、ＳＩＰを行ってもフィルター６の性能が回復しない可能性が高い。
【０１１４】
したがって、フィルター６の使用をしてから相当な時間が経過したときに行ったＣＩＰ、ＳＩＰ後の現在の設定値を現在設定値Ｃとすると、その現在設定値Ｃは、現在設定値Ｂほど大きく変化しない可能性が高い。
【０１１５】
つまり、基準設定値と現在設定値との差が経時的に変化する度合いが大きいほどフィルター６の残りの寿命が短いという相関があるといえる。例えば、この差と、実際のフィルター６の寿命や性能とをマッピングしておき、実際に得られた差に基づいてフィルター６の寿命や性能がどれだけ低下したかをそのマッピングから選択して警告するようにしてもよい。
【０１１６】
このように、本実施形態の処理システムでは、洗浄前後におけるコントロールバルブ４の設定値（開度）の差の変化に基づいてフィルター６の状態を判定することができる。
【０１１７】
〈他の実施形態〉
以上、本発明の実施形態について説明したが、勿論、本発明は、上述の実施形態に限定されるものではなく、本発明の趣旨から逸脱しない範囲内で、構成の付加、省略、置換、およびその他の変更が可能である。
【０１１８】
上述した実施形態では、基準設定値として、初期の基準設定値、水運転時の基準設定値、原液運転時の基準設定値、フィルター装置を洗浄する前の基準設定値を用いたが、これに限定されない。任意の時点における設定値である基準設定値と、現在設定値とを比較し、その差が一致する、相違する、変化するなどの基準によりフィルターの状態を判定することができる。
【０１１９】
また、装置群に対する設定値として、ポンプ３及びコントロールバルブ４の設定値を用いたが、これに限定されない。例えば、複数のフィルター装置５を有し、それぞれの二次側にコントロールバルブ４を設ける場合では、複数のコントロールバルブ４の各設定値を用いてフィルターの状態の判定に用いる。
【０１２０】
フィルター装置５は一台であったが、これに限定されず、複数台を直列又は並列に並べた構成であってもよい。また、一次側流路１は循環流路を構成しているが、循環させない構成であってもよい。さらに、フィルター装置５は、クロスフロー方式のものを例示したが、デッドエンド方式のものを用いてもよい。
【０１２１】
上述した処理システムＩでは、膜間差圧を所定圧力に維持し、被処理液の流量を所望の流量とするように制御したが、これに限定されず、膜間差圧のみを所定圧力に維持するように制御してもよい。
【０１２２】
現在設定値と実績設定値との比較は、それらの差が無い、又はその差が所定値以内であるかによってフィルター６の状態を判定したが、このような方法に限定されない。例えば、実績設定値を機械学習の入力データ、実績設定値に関連づけられたフィルター６の状態を正解データ（教師データ）として、実績設定値からフィルター６の状態を推定する機械学習を行ってもよい。そして、フィルター６の状態が未知である現在設定値をその学習結果に適用することで、フィルター６の状態を得てもよい。
【０１２３】
また、膜間差圧を所定圧力にするための制御として、コントロールバルブ４の設定値を所定量ずつ増減するような制御を行ったがこれに限定されない。例えば、膜間差圧の所定圧力（目標値）と、圧力センサーによる現在値に基づいて、ＰＩＤ制御によりコントロールバルブの設定値を計算してもよい。
【符号の説明】
【０１２４】
Ｉ…処理システム、３…ポンプ、４…コントロールバルブ、５…フィルター装置、６…フィルター、１０…制御装置
【要約】
【課題】被処理液を連続的に濾過するクロスフロー方式のフィルター装置において膜間差圧を維持し、かつ、膜の状態を監視することができる膜監視機能付き処理システムを提供する。
【解決手段】フィルター装置５と、コントロールバルブ４と、フィルター装置５の膜間差圧が所定圧力となるように設定値を計算し、当該設定値でコントロールバルブ４を動作させる制御装置１０と、を備え、制御装置１０は、フィルター６が正常であるときの設定値を基準設定値とし、現在設定値と基準設定値との差が所定値以内であるならばフィルター６は正常であると判定する。
【選択図】  図１【図１】
0006807480.tif 000007
【図２】
0006807480.tif 000008
【図３】
0006807480.tif 000009
【図４】
0006807480.tif 000010
【図５】
0006807480.tif 000011
【図６】
0006807480.tif 000012
【図７】
0006807480.tif 000013